(57)【要約】      （修正有）【課題】変圧器の小形、軽量化を図りつつ、放熱効率を向上した三相三脚構造のモールド変圧器を提供する。【解決手段】三相三脚構造のモールド変圧器において、中央のＶ相のコイルにのみエアーダクト３を設ける構造とする。中央のＶ相にのみエアーダクト３を設けることによりＶ相の導体周長がＵ相、Ｗ相に対し異なり各相間インピーダンスのアンバランスが生じる。その対策として、複数の巾および厚さの鉄心を用いることで各相の導体周長を等しくするなどして、各相のコイルのインピーダンスを等しく調整する。【選択図】図１
2017117920.tif 000002
【特許請求の範囲】
【請求項１】
三相三脚構造のモールド変圧器であって、３本並んだコイルのうち、中央の相のコイルにのみエアーダクトを設けたモールド変圧器。
【請求項２】
請求項1記載のモールド変圧器において、
前記中央の相のコイルは、Ｖ相のコイルであるモールド変圧器。
【請求項３】
請求項1記載のモールド変圧器において、
前記中央の相のコイルは、内側の低圧コイルと外側の高圧コイルで構成され、
前記内側の低圧コイルにエアーダクトを設けたモールド変圧器。
【請求項４】
請求項1記載のモールド変圧器において、
前記コイルは、低圧コイルと高圧コイルとが一体に構成されているモールド変圧器。
【請求項５】
請求項１記載のモールド変圧器において、
エアーダクトを設けた中央の相のコイルとエアーダクトを設けない両側の相のコイルのインピーダンスを等しくしたモールド変圧器。
【請求項６】
請求項５記載のモールド変圧器において、
中央のＶ相の鉄心の幅および厚さと、両側のＵ相、Ｗ相の鉄心の幅および厚さを変えて、Ｖ相のコイルの導体周長とＵ相、Ｗ相のコイルの導体周長を等しくし、Ｖ相とＵ相、Ｗ相のインピーダンスを等しくしたモールド変圧器。
【請求項７】
請求項５記載のモールド変圧器において、
Ｕ相とＷ相のコイルの導体高さと導体厚に対して、Ｖ相のコイルの導体高さと導体厚を変え、Ｖ相とＵ相、Ｗ相のインピーダンスを等しくしたモールド変圧器。
【請求項８】
請求項５記載のモールド変圧器において、
両側のＵ相とＷ相のコイルの導体材料に対して、中央のＶ相のコイルの導体材料を変えて、Ｖ相とＵ相、Ｗ相のインピーダンスを等しくしたモールド変圧器。
【請求項９】
請求項８記載のモールド変圧器において、
Ｕ相とＷ相のコイルの導体材料に対して、抵抗率の小さい導体材料をＶ相のコイルの導体材料に用いて、Ｖ相とＵ相、Ｗ相のインピーダンスを等しくしたモールド変圧器。
【請求項１０】
請求項１記載のモールド変圧器において、
鉄心にアモルファス薄帯を用いたモールド変圧器。
【請求項１１】
請求項１記載のモールド変圧器において、
鉄心に額縁鉄心を用いたモールド変圧器。
【発明の詳細な説明】
【技術分野】
【０００１】
本発明は、変圧器のコイルを絶縁性の樹脂でモールド成形したモールド変圧器に関する。
【背景技術】
【０００２】
モールド変圧器の運転中に過負荷状態あるいは過励磁状態が長時間続いた場合、通常運転時に比べコイルあるいは鉄心の温度が上昇し、熱暴走による異常過熱を引き起こし変圧器として機能しなくなる恐れがある。変圧器の損失には鉄心が発生源の無負荷損失とコイル導体が発生源の負荷損失がある。損失による異常過熱を防止するために、コイルにエアーダクトを設けコイルの放熱効率を上げることでコイルと鉄心両方の温度上昇を抑制する効果が確認されている。
【０００３】
特許文献１には、三相三脚構造のモールド変圧器において、Ｕ相、Ｖ相、Ｗ相それぞれの樹脂モールドコイルに、コイルの中心軸に沿う方向に、断面の形状及び面積が略一定の冷却用ダクトを設けることが記載されている（段落００１０参照）。
【先行技術文献】
【特許文献】
【０００４】
【特許文献１】特開２００５−１９１３６０号公報
【発明の概要】
【発明が解決しようとする課題】
【０００５】
変圧器の運転中は損失が発生しており、損失によるコイルの温度上昇対策が必要である。従来技術として、コイルの放熱効率を上げるためにコイルにエアーダクトを設ける構造が知られている。特許文献１では、三相三脚構造のモールド変圧器において、Ｕ相、Ｖ相、Ｗ相それぞれの樹脂モールドコイルに、冷却用ダクトを設けている。しかし、エアーダクトを設けるとダクトの厚さ分コイルが大形化するだけでなく、コイル製造時のダクト装着作業に時間を要し生産性が悪化する。そのため、エアーダクトを設けることなくコイルの温度上昇を抑制する設計とするか、あるいはエアーダクトを効果的に配置し放熱効率を向上させコイルの温度上昇を抑制する設計にすることが、変圧器の小形、軽量化を図り、さらに生産性を高める上で重要である。
【０００６】
三相三脚構造の変圧器において各相コイルの温度上昇を比較した場合、中央のＶ相コイルの温度上昇が両側のＵ相、Ｗ相コイルに比べ高くなる。また、鉄心温度は中央のＶ脚の温度上昇が両側のＵ脚、Ｗ脚に比べ高くなる。そのため、コイルあるいは鉄心の局所的な異常過熱を防止するためには、中央のＶ相コイルの冷却効率向上が必要である。
【０００７】
本発明は、三相三脚構造のモールド変圧器において、変圧器の小形、軽量化を図りつつ、放熱効率を向上することを目的とする。
【課題を解決するための手段】
【０００８】
上記課題を解決するため、三相三脚構造のモールド変圧器において、中央のＶ相のコイルにのみエアーダクトを設ける構造とする。中央のＶ相にのみエアーダクトを設けることにより、Ｖ相の導体周長がＵ相、Ｗ相に対し異なり各相間インピーダンスのアンバランスが生じるが。その対策として、例えば複数の巾および厚さの鉄心を用いることで各相の導体周長を合わせるなどして、各相のインピーダンスを等しく調整する。
【０００９】
本発明のモールド変圧器の一例を挙げるならば、三相三脚構造のモールド変圧器であって、３本並んだコイルのうち、中央の相のコイルにのみエアーダクトを設けたものである。
【００１０】
本発明のモールド変圧器において、エアーダクトを設けた中央の相のコイルとエアーダクトを設けない両側の相のコイルのインピーダンスを等しくするのが好ましい。
【発明の効果】
【００１１】
本発明によれば、三相三脚構造のモールド変圧器の損失による温度上昇に対し効果的に冷却を行うことができ、導体および鉄心の投入量を抑制しつつ温度上昇対策をすることで、小形、軽量化を実現し経済的に優れた変圧器を製作できる。特に、鉄心材にアモルファス薄帯を用いるアモルファス変圧器においては鉄心の特性上、無負荷損失が小さいため、負荷損失が温度上昇への影響が大きく、中央のＶ相コイルの冷却効率を高めることで異常過熱を防止するのに有効である。本発明により、モールド変圧器の運転中に過負荷状態あるいは過励磁状態が長時間続いた場合に対しても、異常過熱を防止でき、安全性の高いモールド変圧器を提供できる。
【図面の簡単な説明】
【００１２】
【図１】本発明の実施例１のモールド変圧器のモールドコイルを示す図である。
【図２】本発明の実施例２のモールド変圧器を示す図である。
【図３】本発明の実施例３のモールド変圧器を示す図である。
【図４】本発明の実施例３のモールド変圧器のコイルを示す断面図である。
【図５】本発明の実施例４のモールド変圧器を示す図である。
【発明を実施するための形態】
【００１３】
以下、本発明の実施例について図面を用いて説明する。なお、実施例を説明するための各図において、同一の構成要素には同一の名称、符号を付して、その繰り返しの説明を省略する。
【実施例１】
【００１４】
図１に、本発明の実施例１の三相三脚構造のモールド変圧器を示す。図１（ａ）は、Ｕ相、Ｖ相、Ｗ相のモールドコイルの平面図、図１（ｂ）は、そのＡ−Ａ’断面図である。
【００１５】
図において、符号１は高圧コイル（一次コイル）、符号２は低圧コイル（二次コイル）、符号３はエアーダクト示す。また、符号７は一次端子である。モールド変圧器は内側に低圧コイル２、外側に高圧コイル１を配置するのが一般的である。低圧コイル２は電流密度が高く、損失に対し効果的に放熱を行わないと温度上昇が抑制できず、高温になりやすい。しかし、低圧コイル２は内側に鉄心、外側に高圧コイル３が配置され、放熱スペースが十分に確保できずに冷却しにくい構造のため、少しでも放熱効率を上げる必要がある。そのため低圧コイル２内にエアーダクト３を設ける必要がある。しかし、三相変圧器の場合、Ｕ相、Ｖ相、Ｗ相の各相コイルが３本横に並ぶ配置のためエアーダクト分、変圧器の幅寸法が大きくなる問題がある。この問題を解決するため、３本並んだコイルのうち中央のＶ相の低圧コイルのみにエアーダクト３を配置する。エアーダクト３の本数はコイル一面当たり３本、配置面は４面とすることが望ましいが、製造上の制約から、図に示すように３面とし、コイル一脚当り９本のダクトを配置する。エアーダクト３は、コイルの中心軸に沿う方向に、断面の形状及び面積が略一定の空間として設けられる。一方、一次側から見て右側のＵ相コイルと左側のＷ相コイルにはエアーダクトを設けない。
【００１６】
エアーダクト３を備えるコイルの製造方法の一例を説明する。コイルの厚さの中間にエアーダクトが位置するように、コイルを半分巻き線した後、コイル中心軸方向に抜型となる金属棒を複数本平行に配置する。金属棒は、例えば鉄製のものに離型材を塗布し、保護紙を巻き付けたものを用いる。金属棒はコイル高さよりも長くし、引き抜きが可能な長さとする。金属棒を配置した後、コイルの残り半分を巻き線する。次に、金属棒を配置した状態で、絶縁性のモールド樹脂を注型する。樹脂の注型は、コイルの上部から行う。モールド樹脂の硬化後、金属棒を引き抜く。引き抜かれた金属棒の跡に、金属棒の外形に対応した空間であるエアーダクトが形成される。
【００１７】
図１に示すモールドコイルの鉄心の材料として、ケイ素鋼やアモルファス材料を用いることができる。鉄心材にアモルファス薄帯を用いるアモルファス変圧器においては鉄心の特性上、無負荷損失が小さいため、負荷損失が温度上昇への影響が大きく、中央のＶ相コイルの冷却効率を高めることで異常過熱を防止するのに有効である。
【００１８】
本実施例によれば、３相３脚構造のモールド変圧器において、中央の相のモールドコイルにのみエアーダクトを設けたので、モールド変圧器の損失による温度上昇に対し効果的に冷却を行うことができ、導体および鉄心の投入量を抑制しつつ温度上昇対策をすることで、小形、軽量化を実現し経済的に優れた変圧器を製作できる。
【実施例２】
【００１９】
図２に、本発明の実施例２の３相３脚構造のモールド変圧器を示す。図２（ｂ）は一次側から見た正面図、図２（ａ）はそのＢ−Ｂ’断面図である。
【００２０】
実施例１のモールドコイルの場合、中央のＶ相の導体周長がＵ相、Ｗ相に対し異なり（長くなり）各相間のインピーダンスにアンバランスが生じる。その対策として、複数の鉄心材料巾を用い、鉄心の厚さを変えて段付鉄心とすることで、各相の導体周長を等しくしインピーダンスを等しく調整することが可能になる。図２において、内鉄心４の幅をＷ１、厚さをＤ１とし外鉄心５の幅をＷ２、厚さをＤ２とし、Ｗ１＞Ｗ２、Ｄ１＜Ｄ２とする。外鉄心５の幅Ｗ２を内鉄心４の幅Ｗ１より小さくし、外鉄心５の厚さＤ２を内鉄心４の厚さＤ１よりも厚くすることにより、コイル１，２の導体周長を等しく調整する。外鉄心５の幅を狭くし積厚を調整することにより、Ｕ相、Ｗ相の導体周長をＶ相の導体周長と等しくすることができる。
【００２１】
一般的に鉄心が励磁された際、中央のＶ脚鉄心が両側のＵ脚、Ｗ脚に比べ磁束が集中し過励磁の影響を受け易い。そのため、本構造を用いＶ脚を通る内鉄心の幅をＵ脚、Ｗ脚を通る外鉄心に比べ広くし、鉄心断面積を大きくすることがＶ脚鉄心の局所過熱を防止する上で有効である。
【００２２】
本実施例によれば、中央の相の鉄心の幅および厚さと、両側の相の鉄心の幅および厚さを変えて各相の導体周長を等しくしたので、実施例１の効果に加えて、各相のコイルのインピーダンスを等しく調整し、特性を合わせることができる。
【実施例３】
【００２３】
図３に、本発明の実施例３の３相３脚構造のモールド変圧器を示す。図３（ｂ）は一次側から見た正面図、図３（ａ）はそのＣ−Ｃ’断面図である。
【００２４】
実施例２のモールドコイルの場合、Ｕ相およびＷ相の導体周長をＶ相の導体周長に合わせるため、Ｕ相およびＷ相のコイルを故意に大きくしている。実施例３では、Ｖ相のコイルの導体高さと導体厚を調整することで、コイルを大きくすることなく各相のインピーダンスを調整する。
【００２５】
図４（ａ）に、Ｖ相コイル６の断面図を示す。Ｖ相コイル６の導体Ａ８は、高さＨ１、厚さＤ１である。また、図４（ｂ）に、Ｕ相およびＷ相コイル２の断面図を示す。Ｕ相およびＷ相コイル２の導体Ｂ９は、高さＨ２、厚さＤ２である。Ｖ相のコイル６は周長が長いため、Ｕ相およびＷ相に比べてインピーダンスが大きくなる。導体の断面積を同じとした場合、Ｖ相の高さ寸法Ｈ１を大きくし（Ｈ１＞Ｈ２）、Ｖ相の導体Ａ８の厚さＤ１を薄くする（Ｄ１＜Ｄ２）と、インピーダンスは小さくなる。これにより、Ｖ相のコイルのインピーダンスを小さくする。
【００２６】
なおこのとき、図３に示すように、高圧端子（１次端子７）がコイルに内蔵されている場合は各相の端子の高さに違いが生じないようコイル上端面を合わせる構造とする。また、図３では、内鉄心４と外鉄心５の幅を変えているが、同じ幅で同じ厚さとしても良い。
【００２７】
本実施例によれば、Ｕ相とＷ相のコイルの導体高さと導体厚に対して、Ｖ相のコイルの導体高さと導体厚を変えたので、実施例１の効果に加えて、Ｖ相のコイルを大きくすることなく、各相のインピーダンスを等しく調整し、特性を合わせることができる。
【実施例４】
【００２８】
図５に、本発明の実施例４の３相３脚構造のモールド変圧器を示す。図３（ｂ）は正面図、図３（ａ）はそのＤ−Ｄ’断面図である。
【００２９】
実施例１は、内鉄心および外鉄心として巻鉄心を想定したものであるが、本実施例は鉄心として額縁鉄心を用いるものである。額縁鉄心１３は、ケイ素鋼板などの磁性薄板を積層することにより形成する。そして、額縁鉄心１３の中央の脚部にエアーダクト３を有する低圧コイル１２および高圧コイル１１を取り付ける。両側の脚部にはエアーダクト３を持たない低圧コイル１２および高圧コイル１１を取り付ける。
【００３０】
図５では、磁性薄板の幅を変えて断面が円形となるようにし、丸形の低圧コイル１２と丸形の高圧コイル１１を取り付けているが、断面が方形となるようにし、図１に示される角形の低圧コイルおよび角形の高圧コイルを取り付けるようにしても良い。
【００３１】
また、低圧コイルと高圧コイルを合わせて一体のコイルとし、中央のＶ相のコイルにエアーダクトを設けても良い。
【実施例５】
【００３２】
実施例１はモールドコイルを構成する導体の材料として同じ材料を用いるものであるが、本発明の実施例５は、材料の異なる導体を組合せることにより、抵抗率等の材料特性の違いを用いてインピーダンスを等しく調整するものである。
【００３３】
図１において、Ｖ相はコイルの周長が長くなるため、インピーダンスが大きくなる。Ｖ相のコイルの材料として抵抗率の小さい例えばＣｕを用い、Ｕ相およびＷ相のコイルの材料として比較して抵抗率の大きい例えばＡｌを用いる。これにより、Ｖ相のインピーダンスを小さくすることができ、各相のインピーダンスを等しく調整し、特性を合わせることができる。
【００３４】
本実施例によれば、Ｕ相とＷ相のコイルの導体材料に対して、Ｖ相のコイルを抵抗率の小さい導体材料としたので、実施例１の効果に加えて、Ｖ相のコイルの形状変えることなく、各相のインピーダンスを等しく調整し、特性を合わせることができる。
【符号の説明】
【００３５】
１…高圧コイル
２…低圧コイル
３…エアーダクト
４…内鉄心(幅広)
５…外鉄心(幅狭)
６…高圧コイル(高さ調整用)
７…一次端子
８…導体Ａ
９…導体Ｂ
１１…高圧コイル（丸形）
１２…低圧コイル（丸形）
１３…額縁鉄心
【図１】
2017117920.tif 000003
【図２】
2017117920.tif 000004
【図３】
2017117920.tif 000005
【図４】
2017117920.tif 000006
【図５】
2017117920.tif 000007